(57)【特許請求の範囲】
【請求項１】
同一色度範囲内の色度値を有する複数の第一発光素子及び複数の第二発光素子を有し、
前記第一発光素子の分光分布は、４２５ｎｍ〜４８０ｎｍの範囲に第一のピーク波長と、５００ｎｍ〜５６０ｎｍの範囲に第二のピーク波長とを含み、
前記第二発光素子の分光分布は、４２５ｎｍ〜４８０ｎｍの範囲に第一のピーク波長と、５００ｎｍ〜５６０ｎｍの範囲に第二のピーク波長と、５８０ｎｍ〜６５０ｎｍの範囲に第三のピーク波長とを含み、
前記第一発光素子と前記第二発光素子とが発した光の合成光の分光分布は、５００ｎｍ〜５６０ｎｍの範囲の最大値と、５００ｎｍ〜６５０ｎｍの範囲における最小値との比が０．８５以下であり、
前記第二発光素子の総数は、前記第一発光素子の総数の半分より多い
照明装置。
【請求項２】
前記第二発光素子の総数は、前記第一発光素子の総数の二倍以上である
請求項１に記載の照明装置。
【請求項３】
前記第一発光素子及び前記第二発光素子は、直列または並列に接続され、同一電流値で制御可能である
請求項１または２に記載の照明装置。
【請求項４】
前記合成光の相関色温度は５７００Ｋ以上７１００Ｋ以下である
請求項３に記載の照明装置。
【請求項５】
相関色温度が２６００Ｋ以上５７００Ｋ以下となる複数の第三発光素子を有し、
前記第三発光素子は、前記第一発光素子及び前記第二発光素子とは異なる電流値で制御可能である
請求項４に記載の照明装置。
【請求項６】
複数の前記第一発光素子、複数の前記第二発光素子及び複数の前記第三発光素子は、所定の領域内に分散して配置されており、
複数の前記第三発光素子の設置個数は、前記領域における中央部分よりも周縁部分の方が多い
請求項５に記載の照明装置。
【請求項７】
複数の前記第一発光素子及び複数の前記第二発光素子を制御するための制御回路と、
ユーザの年齢が入力されると、当該年齢を示す情報を含んだ信号を作成し、前記制御回路に入力する登録部とを有し、
前記制御回路は、前記登録部から入力された信号を基に前記ユーザの年齢を取得し、当該取得した年齢に対応した発光比率で複数の前記第一発光素子と複数の前記第二発光素子とを発光させる
請求項１〜６のいずれか一項に記載の照明装置。
【発明の詳細な説明】
【技術分野】
【０００１】
本発明は、照明装置に関し、特に加齢に伴う視機能変化を補正するための照明装置に関する。
【背景技術】
【０００２】
高齢化社会の到来により高齢者（中年期以降の世代とする。）にとって快適な環境の構築が強く求められている。その中でも照明による視環境の整備は急務である。このため、加齢による人間の視覚系の変化をどのように照明で補正するかを明確にする必要がある。加齢による主な視機能変化としては、（ａ）水晶体の透過率の低下、特に短波長域での透過率の低下と、（ｂ）白内障（水晶体の白濁化）による視界のかすみ（眼球内散乱）などがある。
【０００３】
（ａ）に関しては、特許文献１に記載されるように、水晶体透過率が低下する波長域の光を増強、いわゆる高色温度にすることにより、網膜上に青色光の到達率を高める照明が高齢者用として推奨されている。
【０００４】
また、（ｂ）も考慮するべく、特許文献２に記載されるように、青色光の成分を増強させる方式もある。特許文献２では、主に眩しさ感への影響が強い波長域（４７０ｎｍ以上、５３０ｎｍ以下）を低減することにより、眩しさを抑えてコントラスト感度、明度および彩度を高く感じる効果を付加した照明が推奨されている。
【０００５】
同様に、（ｂ）を考慮するべく、特許文献３に記載されるように、周辺光による眼球内散乱を低下させるために、可変色ウォールの調整をする方式もある。
【先行技術文献】
【特許文献】
【０００６】
【特許文献１】特開２００３−２３７４６４号公報
【特許文献２】特開平４−１３７３０５号公報
【特許文献３】特開２００５−３０２５００号公報
【発明の概要】
【発明が解決しようとする課題】
【０００７】
ここで、高齢者に対して、眩しさを感じさせることなく、色の鮮やかさを高く感じさせることができる照明装置が望まれている。
【０００８】
このため、本発明の目的は、高齢者に対して文字や観察対象物の色の彩度が低下して見えるのを抑制することのできる照明装置を提供することである。
【課題を解決するための手段】
【０００９】
本発明の一態様に係る照明装置は、同一色度範囲内の色度値を有する複数の第一発光素子及び複数の第二発光素子を有し、第一発光素子の分光分布は、４２５ｎｍ〜４８０ｎｍの範囲に第一のピーク波長と、５００ｎｍ〜５６０ｎｍの範囲に第二のピーク波長とを含み、第二発光素子の分光分布は、４２５ｎｍ〜４８０ｎｍの範囲に第一のピーク波長と、５００ｎｍ〜５６０ｎｍの範囲に第二のピーク波長と、５８０ｎｍ〜６５０ｎｍの範囲に第三のピーク波長とを含み、第一発光素子と第二発光素子とが発した光の合成光の分光分布は、５００ｎｍ〜５６０ｎｍの範囲の最大値と、５００ｎｍ〜６５０ｎｍの範囲における最小値との比が０．８５以下である。
【発明の効果】
【００１０】
本発明によれば、高齢者に対して文字や観察対象物の色の彩度が低下して見えるのを抑制することができる。
【図面の簡単な説明】
【００１１】
【図１】実施の形態１に係る照明装置の概略構成を示す斜視図である。
【図２】実施の形態１に係る照明装置の概略構成を示す分解斜視図である。
【図３】実施の形態１に係る第一発光素子と第二発光素子とのそれぞれの分光特性の一例を示すグラフである。
【図４】実施の形態１に係る第一発光素子と第二発光素子との配置レイアウトの一例を示す模式図である。
【図５】実施の形態１に係る照明装置の主制御構成を示すブロック図である。
【図６】実施の形態１に係る第一発光素子と第二発光素子との個数比を変更し、各個数比における合成光の分光分布を示すグラフである。
【図７】実施の形態１に係る各個数比の分光分布であって、第二値での相対強度を１とした場合の、第一値及び第三値での相対強度比の変動を示すグラフである。
【図８】実施の形態１に係る第一発光素子と第二発光素子との各個数比における照明装置全体の各光特性を示す表である。
【図９】図８における効率比率及びＦＣＩ比率と、第一発光素子と第二発光素子との個数割合との関係を示すグラフである。
【図１０】実施の形態１に係る、標準光源の分光分布と、高齢者フィルタと、基準光源の分光分布に高齢者フィルタをかけあわせた分光分布とを示す説明図である。
【図１１】図１１は、図１０におけるＤ６５光源の色度座標と、Ｄ６５光源に高齢者フィルタをかけた場合の色度座標とを出力した色度座標グラフである。
【図１２】検証実験の混色に用いた第三発光素子と、ＴＥＳＴ１〜３との各光特性を一覧で示す表である。
【図１３】検証実験により求めた彩度差分と、各ＴＥＳＴ１〜３との関係を、中年期、壮年期毎に示すグラフである。
【図１４】検証実験により求めた中年期における４色相ごとの彩度差分と、各ＴＥＳＴ１〜３との関係を示すグラフである。
【図１５】中年期での照明光のＦＣＩ比率と、赤の色票の色の見分けの正当率との関係を示すグラフである。
【図１６】実施の形態２に係る第一発光素子と第二発光素子と第三発光素子との配置レイアウトの一例を示す模式図である。
【図１７】実施の形態２に係る照明装置の主制御構成を示すブロック図である。
【図１８】実施の形態３に係る照明装置の主制御構成を示すブロック図である。
【図１９】中年期（４５〜６４歳）と、高年期（６５歳以上）との照明光のＦＣＩ比率と、赤の色票の色の見分けの正当率との関係を示すグラフである。
【発明を実施するための形態】
【００１２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。
【００１３】
（実施の形態１）
［全体構成］
以下、実施の形態１に係る照明装置について説明する。
【００１４】
図１は、実施の形態１に係る照明装置の概略構成を示す斜視図である。図２は、実施の形態１に係る照明装置の概略構成を示す分解斜視図である。
【００１５】
図１及び図２に示すように、照明装置１０は、器具本体２０と、カバー３０と、発光部４０とを備えている。照明装置１０は、例えば住宅等の建物の天井に設けられている引っ掛けシーリングボディ１に対して着脱自在に取り付けられる。
【００１６】
器具本体２０は、カバー３０と、発光部４０とを支持するための筐体である。器具本体２０は、中央部に円形状の開口部２１を有するリング状に形成されている。この開口部２１を介して引っ掛けシーリングボディ１が発光部４０と接続される。
【００１７】
なお、器具本体２０は、例えばアルミニウム板又は鋼板等の板金をプレス加工することによって上述した形状に成形される。器具本体２０の一方側の面である内面（床面側の面）には、反射性を高めて光取り出し効率を向上させるために、白色塗料が塗布、又は、反射性金属材料が蒸着されている。
【００１８】
カバー３０は、器具本体２０の内面全体を覆うための外カバーであり、器具本体２０に着脱自在に取り付けられている。すなわち、発光部４０は、カバー３０の内側に配置されている。カバー３０は、円形状のドーム状に形成されている。カバー３０は、透光性を有する樹脂材料、例えばアクリル（ＰＭＭＡ）、ポリカーボネート（ＰＣ）、ポリエチレンテレフタレート（ＰＥＴ）又はポリ塩化ビニル（ＰＶＣ）等で形成されている。これにより、発光部４０からカバー３０の内面に向けて出射した光は、カバー３０を透過してカバー３０の外部に取り出される。なお、カバー３０を例えば乳白色の樹脂材料で形成することにより、カバー３０に光拡散性を持たせてもよい。
【００１９】
発光部４０は、例えば白色光を発するための光源である。具体的には、発光部４０は、基板４１と、基板４１の実装面（床側の面）に実装された複数の発光素子５０とを備えている。
【００２０】
基板４１は、複数の発光素子５０を実装するためのプリント配線基板であり、中央部に円形状の開口部４２を有するリング状に形成されている。基板４１には、複数の発光素子５０を実装するための、配線パターン（図示省略）が形成されている。配線パターンは、複数の発光素子５０と、回路部（定電力出力回路１１及び制御回路１２など：図５参照）とを電気的に接続することにより、回路部からの直流電流を複数の発光素子５０の各々に供給するための配線パターンである。
【００２１】
複数の発光素子５０は、基板４１に対して多重のリング状となるように配列されている。複数の発光素子５０の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。複数の発光素子５０は、複数の第一発光素子５１と、複数の第二発光素子５２とを含んでいる。
【００２２】
第一発光素子５１と、第二発光素子５２とは、同一色度範囲内の色度値を有する発光素子である。ここで、「同一色度範囲」とは、ＪＩＳ  Ｚ９１１２−２０１２『蛍光ランプ・ＬＥＤの光源色及び演色性による区分』で規格化されている各光源色（昼光色、昼白色、白色、温白色、電球色）の色度範囲である。例えば、第一発光素子５１が昼光色の色度範囲に収まっている発光素子であれば、第二発光素子５２も昼光色の色度範囲に収まっている発光素子となる。
【００２３】
図３は、実施の形態１に係る第一発光素子５１と第二発光素子５２とのそれぞれの分光特性の一例を示すグラフである。
【００２４】
図３に示すように、第一発光素子５１は、４２５ｎｍ〜４８０ｎｍの範囲に第一のピーク波長と、５００ｎｍ〜５６０ｎｍの範囲に第二のピーク波長とを含む分光分布となる発光素子である。第二発光素子５２は、４２５ｎｍ〜４８０ｎｍの範囲に第一のピーク波長と、５００ｎｍ〜５６０ｎｍの範囲に第二のピーク波長と、５８０ｎｍ〜６５０ｎｍの範囲に第三のピーク波長とを含む分光分布を有する発光素子である。
【００２５】
第一発光素子５１と、第二発光素子５２とを比較すると、第一発光素子５１の方が第二発光素子５２よりも発光効率を重視した分光特性となっている。また、第二発光素子５２の方が第一発光素子５１よりも演色性を重視した分光特性となっている。
【００２６】
ここで、図３において、第二発光素子５２の分光特性における第二のピーク波長での極大値を第二値とし、第二値よりも負側の極小値を第一値とし、第二値よりも正側の極小値を第三値とする。この図３の例では、第一値は４８０ｎｍであり、第二値は５２０ｎｍであり、第三値は５７０ｎｍである。
【００２７】
図４は、実施の形態１に係る第一発光素子５１と第二発光素子５２との配置レイアウトの一例を示す模式図である。図４に示すように、第一発光素子５１と、第二発光素子５２とは、基板４１上に３重の輪をなすように配列されている。ここで、最内周の輪は、８個の第二発光素子５２によって形成されている。中段の輪は、４個の第一発光素子５１と、１２個の第二発光素子５２とによって形成されている。最外周の輪は、４個の第一発光素子５１と、２０個の第二発光素子５２とによって形成されている。中段の輪と、最外周の輪においては、第一発光素子５１が周方向で等間隔となるように配列されている。これにより、第一発光素子５１は、周方向に概ね均等に配列されている。最内周の輪と、中段の和をなす第一発光素子５１及び第二発光素子５２が第一発光モジュール６１であり、最外周の和をなす第一発光素子５１及び第二発光素子５２が第二発光モジュール６２である。
【００２８】
図５は、実施の形態１に係る照明装置１０の主制御構成を示すブロック図である。
【００２９】
図５に示すように、照明装置１０は、定電力出力回路１１と、制御回路１２とを備えている。
【００３０】
定電力出力回路１１は、各発光素子５０に対して定電力を付与するための回路である。
【００３１】
制御回路１２は、例えば、図示しない点灯スイッチがＯＮされたことにより、点灯用の外部信号が入力されると、定電力出力回路１１を制御して、各発光素子５０を点灯する回路である。
【００３２】
そして、複数の発光素子５０は、複数組に組分けされており、各組の発光素子５０が定電力出力回路１１に並列に電気的に接続されている。具体的には、１個の第一発光素子５１と、５個の第二発光素子５２とからなる組が、全部で８組設けられている。そして、各組においては、１個の第一発光素子５１と、５個の第二発光素子５２とが直列に電気的に接続されている。そして、４組ごとに２つに分類して、一方を第一発光モジュール６１とし、他方を第二発光モジュール６２とすると、第一発光モジュール６１と、第二発光モジュール６２とが定電力出力回路１１に対して並列に電気的に接続されている。
【００３３】
これにより、制御回路１２は、定電力出力回路１１を制御することによって、各発光素子５０、５１を同一電流値で制御することができる。
【００３４】
［合成光］
次に、第一発光素子５１と第二発光素子５２とがそれぞれ発した光の合成光について説明する。
【００３５】
図６は、実施の形態１に係る第一発光素子５１と第二発光素子５２との個数比を変更し、各個数比における合成光の分光分布を示すグラフである。
【００３６】
図６では、第一発光素子５１と第二発光素子５２との個数比が、２：１の場合、１：１の場合、１：２の場合、１：３の場合、１：４の場合、１：５の場合の各合成光の分光分布を示している。この結果を基に、各個数比の分光分布であって、第二値での相対強度を１とした場合の、第一値及び第三値それぞれでの相対強度の比率（相対強度比）を求めた。
【００３７】
図７は、実施の形態１に係る各個数比の分光分布であって、第二値での相対強度を１とした場合の、第一値及び第三値での相対強度比の変動を示すグラフである。
【００３８】
図７に示すように、いずれの分光分布においても、第一値での相対強度比は大きく変動していないが、第三値での相対強度比は、第二発光素子５２の比率が高くなるほど低くなっていることが分かる。
【００３９】
図８は、実施の形態１に係る第一発光素子５１と第二発光素子５２との各個数比における照明装置１０全体の各光特性を示す表である。
【００４０】
照明装置１０全体の各光特性とは、複数の第一発光素子５１と複数の第二発光素子５２とのそれぞれが発する光の合成光の各光特性である。図８からも分かるように、いずれの個数比においても、合成光の相関色温度は、５７００Ｋ以上７１００Ｋ以下となっている。
【００４１】
ここで、ＦＣＩは、いわゆる目立ち指数であり、例えば特開平９−１２０７９７号公報等にて提案されている指数である。具体的には、ＦＣＩは、色の見えによる標準光Ｄ６５に対して感じられる明るさ感の比率を示している。
【００４２】
また、効率比率においては、第一発光素子５１のみの場合の発光効率を１００％として、その他の場合の発光効率から相対的に求めている。他方、ＦＣＩ比率においては、第二発光素子５２のみの場合のＦＣＩを１００％として、その他の場合のＦＣＩから相対的に求めている。
【００４３】
図９は、図８における効率比率及びＦＣＩ比率と、第一発光素子５１と第二発光素子５２との個数割合との関係を示すグラフである。
【００４４】
ここで、個数割合とは、発光素子５０全体の設置個数に対する、第一発光素子５１の設置個数の割合である。例えば、第一発光素子５１のみである場合は、個数割合が「１」となり、第二発光素子５２のみである場合は、個数割合が「０」となる。そして、第一発光素子５１と第二発光素子５２との個数比が２：１の場合では個数割合が「０．６７」となる。同様に、個数比が１：１の場合では個数割合が「０．５」、個数比が１：２の場合では個数割合が「０．３３」、個数比が１：３の場合では個数割合が「０．２５」、個数比が１：４の場合では個数割合が「０．２０」、個数比が１：５の場合では個数割合が「０．１７」となる。
【００４５】
図１０は、実施の形態１に係る、標準光源の分光分布と、高齢者フィルタと、基準光源の分光分布に高齢者フィルタをかけあわせた分光分布とを示す説明図である。具体的には、図１０の（ａ）は、色味を評価する際に標準光源として用いられるＤ６５光源の分光分布を示すグラフである。図１０の（ｂ）は、壮年期の観察者の分光透過率から、高齢者の観察者の分光透過率を差し引いた差分からなる高齢者フィルタを示すグラフである。図１０の（ｃ）は、図１０の（ａ）の分光分布に、図１０の（ｂ）の高齢者フィルタをかけることで得られた分光分布を示すグラフである。この図１０の（ｃ）に分光分布によって、壮年期の観察者が認識する光色に対して、高齢者が認識する光色が変化する度合いが推定される。
【００４６】
図１１は、図１０におけるＤ６５光源の色度座標Ａ１と、Ｄ６５光源に高齢者フィルタをかけた場合の色度座標Ａ２とを出力した色度座標グラフである。図１１に示すように、高齢者フィルタをかけることで、観察者が認識する色度座標が色度座標Ａ１から色度座標Ａ２に移動する。そして、色度座標Ａ１と、色度座標Ａ２とを結んだ直線を延長すると、５８２ｎｍ近傍の波長域の色度が高齢者にとっては増加していることが分かる。このため、第一発光素子５１と第二発光素子５２とがそれぞれ発する光の合成光では、５８２ｎｍを含む波長域の相対強度を抑えることで、高齢者は、壮年期の観察者と同じような色度を認識することができる。ここで、５８２ｎｍを含む波長域とは、分光分布において、５００ｎｍ〜６５０ｎｍの範囲で相対強度が最小値となる波長を含む範囲であり、具体的には第三値を含む波長域である。
【００４７】
［検証実験］
本発明者は、観察者による見え方にＦＣＩ比率がどのように影響するか実験にて検証した。
【００４８】
実験の概要は下記となる。
【００４９】
基準光（相関色温度：６２００Ｋ）は、高色温度の高効率形（相関色温度：６３００Ｋ）の第一発光素子５１と、低色温度の高効率形（相関色温度：２４００Ｋ）の発光素子（第三発光素子）とを混合させて調色した。テスト光３種は、第一発光素子５１と、高色温度の高演色形の第二発光素子５２（相関色温度：６５００Ｋ）との混合比率を変え、さらに第三発光素子を加えて６２００Ｋとなるように調色した。具体的には、ＴＥＳＴ１は、第一発光素子５１のみに対して第三発光素子を加えて６２００Ｋとなるように調光した。ＴＥＳＴ２は、第一発光素子５１：第二発光素子５２＝１：３（個数比）に対して第三発光素子を加えて６２００Ｋとなるように調光した。ＴＥＳＴ３は第二発光素子５２のみに対して、第三発光素子を加えて６２００Ｋとなるように調光した。
【００５０】
図１２は、本実験の混色に用いた第三発光素子と、ＴＥＳＴ１〜３との各光特性を示す表である。
【００５１】
ここで、人は１０歳ごろをピークに、徐々に視力の調節力が弱まり、４５歳を過ぎると「細かい文字がにじむ」「ぼやける」というような自覚症状が現れる。これが「老視」の始まりである。今回の被験者は、老視が発症しつつある中年期／４６〜６２歳の９名と、老視が発症していない壮年期／２７〜３７歳６名の計１５名とした。
【００５２】
基準光、テスト光はダウンライト１２０φを評価ＢＯＸ（Ｗ３００×Ｄ３００×Ｈ５００［ｍｍ］／内装：壁面Ｎ７、下面Ｎ５）に設置し、基準光とＴＥＳＴ１〜３を併置し、左右の位置を入れ替えて、２回両眼隔壁で実験を実施した。
【００５３】
視対象は一般財団法人日本色彩研究所製、マンセル色票（色相・明度／彩度：５Ｒ４／１４・１３・１２・１１・１０・９、５Ｙ８／１４・１３・１２・１１・１０・９、５Ｇ４／１０・９・８・７・６・５、１０Ｂ４／１０・９・８・７・６・５）とした。
【００５４】
本実験では左右の利き目による影響も考慮するため、基準光下では各色相で２番目の高彩度色票（５Ｒ４／１３、５Ｙ８／１３、５Ｇ４／９、１０Ｂ４／９）を１つ配置し、ＴＥＳＴ１〜３下では各色相で、彩度６水準の色票６つを配置した。
【００５５】
評価手法として両眼隔壁による基準光下での色票の見えと、ＴＥＳＴ１〜３下での色票の見えを比較し、一対比較で基準光下の色票と『鮮やかさ』が同等と思われる色票を６つの内から１つ選択させた。選択時に２つの色票の間との回答も許容することとした。
【００５６】
実験の手順は下記となる。
【００５７】
基準光照度５００［ｌｘ］ＴＥＳＴ１〜３の照度５００［ｌｘ］とし、被験者は３分間、片眼ずつ基準光用の評価ＢＯＸとＴＥＳＴ１〜３それぞれ用の評価ＢＯＸ内のＮ５の色紙で順応する。その後、基準光用の評価ＢＯＸに赤５Ｒ４／１３、ＴＥＳＴ１〜３それぞれ用の評価ＢＯＸに５Ｒ４／１４・１３・１２・１１・１０・９の色票を配置し、基準光下の色票と「鮮やかさ」が同等となる色票を選択させる。次に黄・緑・青の色相順に同様の評価を実施させ、ＴＥＳＴ１〜３に変更後の順応時間を１分として、同様の評価を繰り返した。
【００５８】
実験の結果は下記となる。
【００５９】
基準光と同等となるＴＥＳＴ１での各色相の色票（５Ｒ４／１３、５Ｙ８／１３、５Ｇ４／９、１０Ｂ４／９）とＴＥＳＴ２、ＴＥＳＴ３で同等の「鮮やかさ」となる選択色票の差分（彩度差分＝ＴＥＳＴ１選択色票彩度−ＴＥＳＴ２またはＴＥＳＴ３選択色票彩度）を４色相で平均算出した。
【００６０】
図１３は、実験により求めた彩度差分と、各ＴＥＳＴ１〜３との関係を、中年期、壮年期毎に示すグラフである。図１４は、中年期における４色相ごとの彩度差分と、各ＴＥＳＴ１〜３との関係を示すグラフである。
【００６１】
図１３から中年期は壮年期よりもスペクトルによる彩度向上効果が強い傾向を示し、ＴＥＳＴ２とＴＥＳＴ３はほぼ同等効果であることが分かる。また、図１４から中年期は、ＴＥＳＴ１よりもＴＥＳＴ２の照明光下で緑（Ｇ）、赤（Ｒ）の色票の彩度向上効果で有意差が認められる。黄（Ｙ）では有意差は認められないが、ＦＣＩに対して僅かながら向上効果が認められ、青（Ｂ）ではＦＣＩに対して僅かながら減少効果が認められる。
【００６２】
上記結果から、ＴＥＳＴ１とＴＥＳＴ２では、赤と緑で見えの改善が確認された。６２００ＫでのＴＥＳＴ１とＴＥＳＴ２ではＦＣＩの差が１５、ＴＥＳＴ２とＴＥＳＴ３ではＦＣＩの差が５であり、両ＦＣＩの中央値１０以上の差があれば、中年期に対して赤と緑の見えを向上させることが分かる。上記条件は、ＴＥＳＴ１のＦＣＩが９１に対して１０以上となるＦＣＩが１０１以上となる。ＴＥＳＴ１〜ＴＥＳＴ３は、第一発光素子５１と第二発光素子５２と第三発光素子とを混色し、相関色温度６２００Ｋとしている。これにより、第一発光素子５１と第二発光素子５２のみを組み合わせた相関色温度６５００ＫのＦＣＩに対して、約３程度ＦＣＩが高い。そのため、図８に示された表より、ＦＣＩの数値で９８以上となればよく、第一発光素子５１と第二発光素子５２の個数比は２：１よりも第二発光素子５２の個数比が多ければよいことが分かる。
【００６３】
図１５は、中年期（４５〜６４歳）での照明光のＦＣＩ比率と、赤の色票の色の見分けの正当率との関係を示すグラフである。
【００６４】
正当率とは、ＦＣＩの異なる光源の下、一定間隔で並べられた三枚の赤の色票を被験者に対して提示し、三枚の赤の色票中、異なる色票が有る場合はその位置を答えさせ、それが正当していた人の割合を示している。実験では５Ｒ４／１１を基準として、三枚とも同じ色票と、一枚だけ彩度が５Ｒ４／１１．５・１２・１２．５・１３・１３．５、１４となる色票を提示し、三枚とも同じ色票の場合は『同じ』、異なる色票がある場合はその位置『左・真中・右』を答えさせた。図１５のグラフは三枚の赤の色票中、５Ｒ４／１１．５が含まれた場合の正答率を示している。
【００６５】
図１５からも分かるようにＦＣＩ比率は９０よりも大きくなれば、正答率が５０％以上となる。つまり、ＦＣＩ比率が９０以上となる個数比で第一発光素子５１及び第二発光素子５２との設置個数が設定されていればよい。このＦＣＩ比率９０以上となる個数比は、図８及び図９から２：１であることが分かる。つまり、第一発光素子５１と第二発光素子５２との個数比は、２：１よりも第二発光素子５２の個数割合が同等以上であれば、中年期以上の色知覚確率をある程度確保することができる。なお、色知覚確率を７５％以上にする場合には、ＦＣＩ比率が９３以上となる個数比を選択すればよい。
【００６６】
そして、図７に示すように、第一発光素子５１と第二発光素子５２との個数比が２：１よりも第二発光素子５２の個数割合が同等以上であるときには、第二値での相対強度を１とした場合の第三値の相対強度比は、いずれの場合も０．８５以下であることが分かる。すなわち、第一発光素子５１と第二発光素子５２とが発した光の合成光の分光分布は、５００ｎｍ〜５６０ｎｍの範囲の最大値（第二値での相対強度）と、５００ｎｍ〜６５０ｎｍの範囲における最小値（第三値での相対強度）との比が０．８５以下であれば、高齢者の色知覚確率をある程度確保することができる。
【００６７】
以上のように、本実施の形態によれば、照明装置１０は、同一色度範囲内の色度値を有する複数の第一発光素子５１及び複数の第二発光素子５２を有している。第一発光素子５１の分光分布は、４２５ｎｍ〜４８０ｎｍの範囲に第一のピーク波長と、５００ｎｍ〜５６０ｎｍの範囲に第二のピーク波長とを含んでいる。第二発光素子５２の分光分布は、４２５ｎｍ〜４８０ｎｍの範囲に第一のピーク波長と、５００ｎｍ〜５６０ｎｍの範囲に第二のピーク波長と、５８０ｎｍ〜６５０ｎｍの範囲に第三のピーク波長とを含んでいる。第一発光素子５１と第二発光素子５２とが発した光の合成光の分光分布は、５００ｎｍ〜５６０ｎｍの範囲の最大値と、５００ｎｍ〜６５０ｎｍの範囲における最小値との比が０．８５以下である。
【００６８】
このように、第一発光素子５１と第二発光素子５２とが発した光の合成光の分光分布において、５００ｎｍ〜５６０ｎｍの範囲の最大値と、５００ｎｍ〜６５０ｎｍの範囲における最小値との比が０．８５以下であるので、高齢者の色知覚確率を高めることができる。そして、このように高齢者の色知覚確率を高めることができれば、高齢者に対して文字や観察対象物の色の彩度が低下して見えるのを抑制することが可能となる。
【００６９】
また、第一発光素子５１及び第二発光素子５２は、直列または並列に接続され、同一電流値で制御可能である。
【００７０】
このように、第一発光素子５１と第二発光素子５２とを同一電流値で制御可能であるので、第一発光素子５１と第二発光素子５２との駆動源を共通化することができる。
【００７１】
また、第一発光素子５１と第二発光素子５２とがそれぞれ発した光の合成光の相関色温度は５７００Ｋ以上７１００Ｋ以下である。
【００７２】
このように、合成光の相関色温度が５７００Ｋ以上７１００Ｋ以下であるので、高齢者にとって文字と色の彩度が低下して見えることをより確実に抑制することができる。
【００７３】
（実施の形態２）
次に、実施の形態２について説明する。なお、以下の説明において、上記実施の形態１と同一の部分については同一の符号を付してその説明を省略する場合がある。
【００７４】
実施の形態１では、第一発光素子５１と第二発光素子５２とを有する照明装置１０を例示して説明したが、この実施の形態２では、第一発光素子５１と第二発光素子５２に加えて、複数の第三発光素子５３とを備える照明装置１０Ａについて説明する。
【００７５】
図１６は、実施の形態２に係る第一発光素子５１と第二発光素子５２と第三発光素子５３との配置レイアウトの一例を示す模式図である。
【００７６】
図１６に示すように、第一発光素子５１と、第二発光素子５２と、第三発光素子５３とは、基板４１上に３重の輪をなすように配列されている。ここで、最内周の輪には、８個の第一発光素子５１と、８個の第二発光素子５２とが周方向に１つずつ交互に配列されている。中段の輪は、８個の第一発光素子５１と、８個の第二発光素子５２と、８個の第三発光素子５３とが周方向に１つずつ順番に並んで配列されている。最外周の輪には、８個の第一発光素子５１と、１６個の第二発光素子５２と、８個の第三発光素子５３とが周方向に、所定の順番に並んで配列されている。
【００７７】
このように、複数の第一発光素子５１、複数の第二発光素子５２及び複数の第三発光素子５３は、基板４１（所定の領域）内に分散して配置されており、複数の第三発光素子５３の設置個数は、基板４１における中央部分よりも周縁部分の方が多くなっている。
【００７８】
第三発光素子５３の相関色温度は、２６００Ｋ以上５７００Ｋ以下であり、第一発光素子５１及び第二発光素子５２のそれぞれの色温度よりも低色温度となっている。このような、第三発光素子５３の設置個数が、基板４１上における中央部よりも周縁部の方が多くなっているので、照明装置１０Ａの直下においては高色温度の光が照射され、それよりも周囲においては低色温度の光が照射されることになる。したがって、照明装置１０Ａの周縁においては、照明装置１０Ａよりも低色温度の光で照明されるために、照明装置１０Ａの直下にいる高齢者が周縁の照明で眩しさを感じることを抑えることができる。
【００７９】
図１７は、実施の形態２に係る照明装置１０Ａの主制御構成を示すブロック図である。具体的には、図１７は図５に対応する図である。
【００８０】
図１７に示すように、照明装置１０Ａの定電力出力回路１１には、第一発光モジュール６１と第二発光モジュール６２とは異なる系統で、複数の第三発光素子５３が電気的に接続されている。これにより、制御回路１２は、定電力出力回路１１を制御することによって、第一発光素子５１及び第二発光素子５２を同一電流値で制御するとともに、第三発光素子５３を第一発光素子５１及び第二発光素子５２とは異なる電流値で制御することができる。したがって、照明装置１０Ａ全体の光色を調整することができる。
【００８１】
なお、照明装置１０Ａ全体の光色を調整しない場合は、所定の光色となる組み合わせでの第一発光素子５１と、第二発光素子５２と、第三発光素子５３とが同一回路に配置され、これらを同一電流値で制御してもよい。
【００８２】
（実施の形態３）
次に、実施の形態３について説明する。
【００８３】
実施の形態１では、第一発光モジュール６１及び第二発光モジュール６２のそれぞれが、第一発光素子５１と第二発光素子５２とが混在し、さらに第一発光モジュール６１と第二発光モジュール６２とが同一電流値で制御可能な場合を例示して説明した。この実施の形態３では、第一発光モジュールと第二発光モジュールとがそれぞれ一種類の発光素子から構成され、さらに第一発光モジュールと第二発光モジュールとが異なる系統で定電力出力回路に接続されている場合について説明する。
【００８４】
図１８は、実施の形態３に係る照明装置１０Ｂの主制御構成を示すブロック図である。具体的には、図１８は図５に対応する図である。
【００８５】
図１８に示すように、照明装置１０Ｂの第一発光モジュール６１ｂは、複数の第一発光素子５１のみから構成されており、第二発光モジュール６２ｂは、複数の第二発光素子５２のみから構成されている。そして、第一発光モジュール６１ｂと、第二発光モジュール６２ｂとは異なる系統で、定電力出力回路１１に電気的に接続されている。これにより、第一発光モジュール６１ｂ及び第二発光モジュール６２ｂをそれぞれ異なる電流値で制御することができる。これにより、複数の第一発光素子５１と、複数の第二発光素子５２との発光比率を調整することが可能となる。
【００８６】
図１９は、中年期（４５〜６４歳）と、高年期（６５歳以上）との照明光のＦＣＩ比率と、赤の色票の色の見分けの正当率との関係を示すグラフである。
【００８７】
図１９に示すように、観察者の年齢が異なるとＦＣＩ比率と正答率との関係性も異なることが分かる。例えば、正答率が５０％以上となるＦＣＩ比率は、中年期であると９０％以上であるが、高年期であると９２％以上である。このように、色知覚確率を一定に保つとしても、年齢によってそのＦＣＩ比率は異なるため、第一発光素子５１と第二発光素子５２との発光比率を調整することがで、各年齢に対しても所望の色知覚確率を確保することができる。
【００８８】
例えば、図１８に示すように、２つの外部信号が制御回路１２に入力される場合、一方の外部信号（外部信号１）を点灯用の信号として、他方の外部信号（外部信号２）を観察者の年齢を示す情報を含んだ信号とする。他方の外部信号を制御回路１２に入力する登録部１３は、ユーザから年齢が入力されると、当該年齢を示す情報を含んだ外部信号を作成し制御回路１２に入力する。
【００８９】
制御回路１２には、年齢ごとに適切な第一発光素子５１と第二発光素子５２との発光比率を実現するために、各年齢に対応した発光比率を実現する第一発光素子５１と第二発光素子５２とのそれぞれの電流値を予め記憶している。制御回路１２は、他方の外部信号が入力されると、当該外部信号から年齢を取得し、その年齢に対応する第一発光素子５１の電流値と、第二発光素子５２の電流値とを読み出す。そして、制御回路１２は、読み出した電流値を基に定電力出力回路１１を制御することで、入力された年齢に対応する発光比率で第一発光素子５１と、第二発光素子５２とを発光させる。これにより、年齢に対応した発光比率で第一発光素子５１と第二発光素子５２とを発光させることができ、如何なる年齢でも一定の色知覚確率を確保することができる。
【００９０】
（その他の実施の形態）
以上、実施の形態に係る照明装置について説明したが、本発明は、上記実施の形態に限定されるものではない。
【００９１】
例えば、第一発光素子５１は、光の相関色温度が５４００Ｋから７０００Ｋ、Ｄｕｖが−６以上５以下の範囲、The CIE 1997 Interim Color Appearance Model(Simple Version)で規定される算出方法を用いて求められたクロマ値が２．７以下、平均演色評価数Ｒａが８０以上となる分光放射特性を有していることがよい。ここで、クロマ値は視対象物の白さ感を定量的に評価できる指標であり、クロマ値が高いと色みが強く、低いと色みが弱いことを意味する。すなわちクロマ値が低いということは白さ感が高いということになる。そして、クロマ値２．７以下で相関色温度５４００以上７０００Ｋ以下、色偏差Ｄｕｖが−６以上５以下の範囲を実現するスペクトルを有する光の下では、紙面の印刷文字の読みやすさが高められることが分かっている（例えば特開２０１４−７５１８６号公報等）。さらに、平均演色評価数Ｒａは、忠実な色の再現性を評価する指標であり、ＪＩＳ  Ｚ９１１２「蛍光ランプの光源色及び演色性による区分」においてその指標の目安が示されている。具体的には、平均演色評価数Ｒａは８０以上であることがよい。第一発光素子５１が上記の分光放射特性を有していれば、紙面の印刷文字の読みやすさを高めつつも、忠実に色を再現することが可能である。
【００９２】
さらに、第二発光素子５２は、第一発光素子５１が発する光の相関色温度よりも低い相関色温度となる分光放射特性を有していることがよい。
【符号の説明】
【００９３】
１０、１０Ａ  照明装置
１１  定電力出力回路
１２  制御回路
５１  第一発光素子
５２  第二発光素子
５３  第三発光素子
【図１】
0006655822.tif 000002
【図２】
0006655822.tif 000003
【図３】
0006655822.tif 000004
【図４】
0006655822.tif 000005
【図５】
0006655822.tif 000006
【図６】
0006655822.tif 000007
【図７】
0006655822.tif 000008
【図８】
0006655822.tif 000009
【図９】
0006655822.tif 000010
【図１０】
0006655822.tif 000011
【図１１】
0006655822.tif 000012
【図１２】
0006655822.tif 000013
【図１３】
0006655822.tif 000014
【図１４】
0006655822.tif 000015
【図１５】
0006655822.tif 000016
【図１６】
0006655822.tif 000017
【図１７】
0006655822.tif 000018
【図１８】
0006655822.tif 000019
【図１９】
0006655822.tif 000020